(57)【特許請求の範囲】
【請求項１】
ミシンの送り台に前側から着脱可能に装着された針板を備えたプレート部材と、縫製対象物を針板に押える押え部を前端部に備えると共に後端部がプレート部材に左右方向の軸回りに回動可能に連結された押えアームと、送り台に装備され且つ押えアームを駆動して押え部を昇降させる押え駆動機構とを備えたミシンの布押え装置において、
前記押えアームの後端部からプレート部材の下側で前方に延びる被駆動レバー部の前端部に後方開放状の係合部を設け、
前記押え駆動機構は、プレート部材を送り台に着脱する際に前記係合部が前側から係脱可能で且つ前記係合部を上下に駆動する出力ピンを備え、
前記係合部の下面側へ突出し、且つプレート部材を送り台に装着する際に前記係合部が出力ピンに係合しない場合に出力ピンに上側から当接して被駆動レバー部を介してプレート部材を送り台から浮上させる突出部を設けたことを特徴とするミシンの布押え装置。
【請求項２】
前記突出部は、その後端部分から前方へ移行する程下方へ移行するテーパ部を有することを特徴とする請求項１に記載のミシンの布押え装置。
【請求項３】
前記テーパ部の下端分に前記出力ピンの長さ方向中央側へ移行する程上方へ移行する下端テーパ部を形成したことを特徴とする請求項２に記載のミシンの布押え装置。
【請求項４】
縫製対象物から延びる糸を切断する際に縫製対象物を針板に押える補助押え部を前端部に備えると共に後端部がプレート部材に左右方向の軸回りに回動可能に連結された補助押えアームを設け、前記押えアームと補助押えアームの後端部を共通の支軸を介してプレート部材に回動可能に支持したことを特徴とする請求項１〜３の何れかに記載のミシンの布押え装置。
【請求項５】
前記プレート部材に対して補助押え部が上昇する側へ補助押えアームを回動付勢するバネ部材を設け、前記補助押えアームの前後方向中央部分に上側から当接して補助押え部の上限位置を規制するストッパを押えアームに設けたことを特徴とする請求項４に記載のミシンの押え装置。
【請求項６】
前記ミシンは縫製対象物のボタン穴の縁部分に縫目を形成するボタン穴かがりミシンであることを特徴とする請求項１〜５の何れかに記載のミシンの布押え装置。
【請求項７】
請求項１〜６の何れかに記載のミシンの布押え装置を備えたことを特徴とするミシン。
【発明の詳細な説明】
【技術分野】
【０００１】
本発明は、ミシンの送り台にプレート部材を着脱可能に装着し、そのプレート部材に押えアームを回動可能に連結し、その押えアームを送り台に装備した押え駆動機構により駆動して押え部を昇降させるようにしたミシンの布押え装置に関するものである。
【背景技術】
【０００２】
従来、縫製対象物のボタン穴の縁部分に縫目を形成するボタン穴かがりミシンには、水平方向へ移動駆動される送り台が設けられ、この送り台に針板を備えたプレート部材が装着され、このプレート部材に押えアームの後端部が左右方向の軸回りに回動可能に連結されている。押えアームの前端部には縫製の際に縫製対象物を針板に押える押え部が設けられ、この押えアームと送り台に装備された押え駆動機構とが連動連結され、この押え駆動機構により押えアームが駆動されて押え部が昇降される。
【０００３】
ところで、プレート部材は押えアームと一体的に、送り台に着脱自在に装着されるように構成されており、そのために、プレート部材を送り台に着脱する際に、押えアームと押え駆動機構とを自動的に連結・分離可能に構成する必要がある。
【０００４】
例えば、特許文献１の穴かがりミシンでは、押えアームの後端部からプレート部材の下側で前方に延びる被駆動レバー部が設けられ、その被駆動レバー部の前端部に後方開放状のＵ字形の係合部が設けられている。押え駆動機構には、被駆動レバー部の係合部が係脱可能な出力ピンと、この出力ピンを下方へ駆動するエアシリンダと、出力ピンを上方へ付勢するバネ部材が設けられ、この出力ピンに押えアームの係合部が係合すると、押えアームと押え駆動機構とが連動連結された状態になる。
【０００５】
ここで、押えアームが連結されたプレート部材を送り台に装着する場合、このプレート部材を前側且つ斜め上側から、送り台とミシンアーム部の間に挿入しつつ、送り台の所定の装着部に載置するように位置決めして行われ、その際に、被駆動レバー部の係合部が押え駆動機構の出力ピンに係合するようにしてある。
【０００６】
一方、本願出願人は、前記押えアームの他に、縫製対象物から延びる糸を切断する際に縫製対象物を針板に押える補助押え部を前端部に備えると共に後端部がプレート部材に左右方向の軸回りに回動可能に連結された補助押えアームを設けた穴かがりミシンを実用化しており、この穴かがりミシンには、プレート部材に対して補助押え部が上昇する側へ補助押えアームを回動付勢するバネ部材と、補助押え部のうちプレート部材に支持される部位近くに上側から当接して補助押え部の上限位置を規制するストッパが設けられている。
【０００７】
【特許文献１】特開２００５−１１８２４４号公報
【発明の開示】
【発明が解決しようとする課題】
【０００８】
前記穴かがりミシンのように、押えアームが連結されたプレート部材を送り台に着脱可能に装着するものでは、プレート部材を送り台に装着する際、プレート部材の装着動作や押え駆動機構の出力ピンの位置等によって、被駆動レバー部の係合部が押え駆動機構の出力ピンに係合しないで、プレート部材が送り台に装着される場合がある。ここで、プレート部材は係合部が出力ピンに係合している場合と同じ装着状態になるため、また、係合部と出力ピンとの連結部分を目視することも困難であるため、プレート部材を送り台に装着する際に、係合部が出力ピンに係合しているか否か確認することが難しい。
【０００９】
プレート部材を送り台に装着した状態で、係合部が出力ピンに係合しているか否か確認するためには、押え駆動機構を駆動して、押え部が昇降するか確かめればよいが、その際に、押えアームや押え駆動機構が損傷する虞がある。また、そこで、係合部が出力ピンに係合していないことを確認できたとしても、プレート部材をビスで送り台に取り付けている場合には、そのビスの締結・締結解除操作を含む無駄な着脱作業を要することになり、作業負荷が大きくなる。
【００１０】
本発明の目的は、押えアームが連結されたプレート部材を送り台に装着する際に、被駆動レバー部の係合部が送り台に装備された押え駆動機構の出力ピンに係合しているか否か容易に確認することができ、プレート部材を送り台に適切に装着する作業を簡単に確実に行うことができる、ミシンの布押え装置を提供することである。
【課題を解決するための手段】
【００１１】
請求項１のミシンの布押え装置は、ミシンの送り台に前側から着脱可能に装着された針板を備えたプレート部材と、縫製対象物を針板に押える押え部を前端部に備えると共に後端部がプレート部材に左右方向の軸回りに回動可能に連結された押えアームと、送り台に装備され且つ押えアームを駆動して押え部を昇降させる押え駆動機構とを備えたミシンの布押え装置において、前記押えアームの後端部からプレート部材の下側で前方に延びる被駆動レバー部の前端部に後方開放状の係合部を設け、前記押え駆動機構は、プレート部材を送り台に着脱する際に前記係合部が前側から係脱可能で且つ前記係合部を上下に駆動する出力ピンを備え、前記係合部の下面側へ突出し、且つプレート部材を送り台に装着する際に前記係合部が出力ピンに係合しない場合に出力ピンに上側から当接して被駆動レバー部を介してプレート部材を送り台から浮上させる突出部を設けたことを特徴とする。
【００１２】
前端部に押え部を備えた押えアームの後端部がプレート部材に左右方向の軸回りに回動可能に連結され、押えアームの後端部からプレート部材の下側で前方に延びる被駆動レバー部の前端部に後方開放状の係合部が設けられている。送り台には出力ピンを備えた押え駆動機構が装備され、通常、プレート部材が送り台に装着された状態では、被駆動レバー部の係合部が押え駆動機構の出力ピンに係合して、押えレバーと押え駆動機構とが連動連結され、この押え駆動機構が作動すると、出力ピンにより被駆動レバー部の係合部が上下に駆動されて、押えレバーが駆動され左右方向の軸回りに回動されて押え部が昇降する。
【００１３】
ところで、プレート部材を送り台に前側から装着する際、プレート部材の装着動作や押え駆動機構の出力ピンの位置等によって、被駆動レバー部の係合部が押え駆動機構の出力ピンに係合しない場合がある。この場合、係合部の下面側へ突出する突出部が出力ピンに上側から当接することにより、被駆動レバー部を介してプレート部材を送り台から浮上させるため、その状況を見て、係合部が出力ピンに係合していないことを確認できる。
【００１４】
ここで、請求項１の発明に次の構成が採用可能である。
前記突出部は、その後端部分から前方へ移行する程下方へ移行するテーパ部を有する（請求項２）。前記テーパ部の下端部に前記出力ピンの長さ方向中央側へ移行する程上方へ移行する下端テーパ部を形成する（請求項３）。縫製対象物から延びる糸を切断する際に縫製対象物を針板に押える補助押え部を前端部に備えると共に後端部がプレート部材に左右方向の軸回りに回動可能に連結された補助押えアームを設け、前記押えアームと補助押えアームの後端部を共通の支軸を介してプレート部材に回動可能に支持する（請求項４）。
【００１５】
前記プレート部材に対して補助押え部が上昇する側へ補助押えアームを回動付勢するバネ部材を設け、前記補助押えアームの前後方向中央部分に上側から当接して補助押え部の上限位置を規制するストッパを押えアームに設ける（請求項５）。前記ミシンは縫製対象物のボタン穴の縁部分に縫目を形成するボタン穴かがりミシンである（請求項６）。
請求項７のミシンは、請求項１〜６の何れかに記載のミシンの布押え装置を備えたことを特徴とする。
【発明の効果】
【００１６】
請求項１のミシンの布押え装置によれば、特に、被駆動レバー部の後方開放状の係合部の下面側へ突出し、且つプレート部材を送り台に装着する際に係合部が押え駆動機構の出力ピンに係合しない場合に出力ピンに上側から当接して被駆動レバー部を介してプレート部材を送り台から浮上させる突出部を設けたので、プレート部材を送り台に装着する際に、係合部と出力ピンとの連結部分を目視することもなく、係合部が出力ピンに係合しているか否か容易に確認することができ、その結果、プレート部材を送り台に適切に装着する作業を簡単に確実に行うことが可能になる。
【００１７】
請求項２のミシンの布押え装置によれば、突出部は、その後端部分から前方へ移行する程下方へ移行するテーパ部を有するので、プレート部材を送り台に装着する際に、被駆動部レバー部の係合部が押え駆動機構の出力ピンに上側から当接しても、プレート部材の自重により、プレート部材が係合部に設けられたテーパ部に沿って移動する。従って、プレート部材を送り台に容易に装着することが可能となる。
請求項３のミシンの布押え装置によれば、テーパ部の下端部に出力ピンの長さ方向中央側へ移行する程上方へ移行する下端テーパ部を形成したので、被駆動レバー部の係合部が押え駆動機構の出力ピンに上側から当接しても、プレート部材の自重により、プレート部材がテーパ部の下端部の下端テーパ部に沿って移動することで、プレート部材を送り台に容易に装着することが可能となる。
【００１８】
請求項４のミシンの布押え装置によれば、縫製対象物から延びる糸を切断する際に縫製対象物を針板に押える補助押え部を前端部に備えると共に後端部がプレート部材に左右方向の軸回りに回動可能に連結された補助押えアームを設けたので、押え部が糸切断用のカッターに干渉しないように押え部を退避させ、補助押え部で縫製対象物を針板に押えて、縫製対象物から延びる糸を確実に切断することができ、また、押えアームと補助押えアームの後端部を共通の支軸を介してプレート部材に回動可能に支持したので、この押えアームと補助押えアームをプレート部材に回動可能に連結する構造を簡単化できる。
【００１９】
請求項５のミシンの布押え装置によれば、プレート部材に対して補助押え部が上昇する側へ補助押えアームを回動付勢するバネ部材を設け、補助押えアームの前後方向中央部分に上側から当接して補助押え部の上限位置を規制するストッパを押えアームに設けたので、補助押え部を使用しない状態では適切な上限位置に確実に保持しておくことができ、また、プレート部材を送り台に着脱する際に、補助押えアームの後端部からプレート部材の下側に延びる被補助駆動レバー部をプレート部材に対して適切な位置関係に保持し、この被補助駆動レバー部を、それを駆動する送り台に装備された補助押え駆動機構と干渉させずに、プレート部材の着脱作業を確実に行うことが可能になる。
【００２０】
請求項６のミシンの布押え装置によれば、ミシンは縫製対象物のボタン穴の縁部分に縫目を形成するボタン穴かがりミシンであるので、このボタン穴かがりミシンにおける、プレート部材を送り台に適切に装着する作業を簡単に確実に行うことが可能になる。
請求項７のミシンによれば、請求項１〜６の何れかに記載のミシンの布押え装置を備えたので、請求項１〜６と同様の効果を奏する。
【発明を実施するための最良の形態】
【００２１】
本実施形態の布押え装置は、縫製対象物のボタン穴の縁部分に縫目を形成するボタン穴かがりミシンに適用され、送り台に着脱可能なプレート部材に押えアームの後端部を左右方向の軸回りに回動自在に連結し、その押えアームの後端部からプレート部材の下側で前方に延びる被駆動レバー部の前端部に後方開放状の係合部を設け、その係合部の下面側へ突出する突出部を設け、プレート部材を送り台に装着する際に、係合部が送り台に装備した押え駆動機構の出力ピンに係合しない場合に、突出部が出力ピンに上側から当接して被駆動レバー部を介してプレート部材を送り台から浮上させるように構成したものである。
【実施例】
【００２２】
図１に示すように、鳩目穴かがりミシン１は、略矩形箱状のベッド部２と、その後上部側から前方に延びるアーム部３とを一体的に備えて構成されている。この鳩目穴かがりミシン１はミシンテーブルに載置され、このミシンテーブルには、ミシンモータ、各種操作の為の操作パネル、足踏み式の起動・停止スイッチ等が設けられ、更に各種機構の作動を制御するマイクロコンピュータを含む制御装置が設けられている。
【００２３】
アーム部３の前端部分には、縫針４を下端部に装着した針棒５（図３参照）が設けられ、ミシンモータによりアーム部３に設けられた主軸が回転し、その主軸の回転力がカム機構等を介して針棒５に伝達されて、針棒５が水平方向に揺動しながら上下駆動される。ベッド部２には２個のルーパーを備えたルーパー土台が設けられ、これらルーパーは、カム機構等を介して伝達される主軸の回転力により針棒５の上下動と調時して駆動される。また、針棒５及びルーパー土台は、ベッド部２内に設けられたステッピングモータを有する回動機構により鉛直軸周りに一体的に回動される。
【００２４】
ベッド部２には、縫製対象物にボタン穴を形成するために、ルーパー土台の後方側にメスが取付け台にボルトにより着脱可能に取付けられ、このメスに対して上方より接離する打ち抜き用ハンマー本体が揺動可能に設けられ、そのハンマー本体の先端部にハンマーが着脱可能に取付けられている。
【００２５】
さて、図２〜図８に示すように、ベッド部２の上面側には、縫製及びボタン穴穿孔に供する縫製対象物をセットする送り台６が設けられている。ベッド部２の内部には、ステッピングモータを夫々有する２組の移動機構が設けられ、これら移動機構により送り台６がＸ方向（左右方向）とＹ方向（前後方向）に独立に送り駆動される。
【００２６】
送り台６は全体として薄形の矩形箱状をなし、この送り台６の上面部には、左右両側部分に１対の金属製の矩形板状の固定プレート１０が固定的に設けられ、これら固定プレート１０の間に左右１対の金属製の矩形板状のクロスプレート１１（プレート部材に相当する）が前側から着脱可能に装着されている。１対のクロスプレート１１は左右方向に多少の間隙を空けた状態で送り台６に位置決めされた状態で装着され、その位置決めのために、送り台６に位置決めピン７ａが上方へ突設され、その位置決めピン７ａが挿入されるピン穴７ｂがクロスプレート１１に形成されている。
【００２７】
１対のクロスプレート１１の相対向する内端側部分に且つ前後方向中央部に１対の針板１３が夫々取り付けられ、これら１対の針板１３の内端縁は、この鳩目穴かがりミシン１で縫製される鳩目穴かがり縫目の形状に沿った形状に形成されている。送り台６に縫製対象物がセットされた状態で、その縫製対象物に縫製を施す際、縫製対象物にボタンを形成する際、縫製後に縫製対象物から延びる糸を切断する際に、布押え装置７により縫製対象物が針板１３に押えられる。
【００２８】
次に、布押え装置７について説明する。
図２〜図８に示すように、布押え装置７は、前記１対のクロスプレート１１と、縫製対象物に縫製を施す際とボタン穴を形成する際に縫製対象物を針板１３に押える主押え部１４を前端部に備えると共に後端部が１対のクロスプレート１１に夫々左右方向の軸回りに回動可能に連結された左右１対の主押えアーム１５と、送り台６に装備され且つ１対の主押えアーム１５を夫々駆動して１対の主押え部１４を夫々昇降させる１対の主押え駆動機構１６とを備えている。尚、主押え部１４、主押えアーム１５、主押え駆動機構１６が、特許請求の範囲の押え部、押えアーム、押え駆動機構に相当する。
【００２９】
また、この布押え装置７は、右側の主押えアーム１５の右側に配設され且つ縫製対象物から延びる糸を切断する際に縫製対象物を針板１３に押える補助押え部１７を前端部に備えると共に後端部が右側のプレート部材１１に左右方向の軸回りに回動可能に連結された補助押えアーム１８と、送り台６に大部分が装備され且つ補助押えアーム１８を駆動して補助押え部１７を昇降させる補助押え駆動機構１９とを備えている。
【００３０】
１対の主押え部１４は、針板１３よりも少し短い前後長を有し、それらの相対向する内端縁が１対の針板１３の内端縁と同形状に形成され、１対の針板１３の内側部分に縫製対象物を押圧する。補助押え部１７はピン状に形成され、右側の針板１３の前右部（主押え部１４で縫製対象物を押える部位と異なる部位）に縫製対象物をスポット的に押圧する。
【００３１】
左側のクロスプレート１１の後端部には支持ブロック２０が固定され、その支持ブロック２０に固定された左右方向向きの支軸２１に左側の主押えアーム１５の後端部が回動可能に支持されている。また、右側のクロスプレート１１の後端部には支持ブロック２２が固定され、その支持ブロック２２に固定された左右方向向きの支軸２３に右側の主押えアーム１５の後端部が回動可能に支持され、また、この支軸２３には主押えアーム１５の右側において補助押えアーム１８の後端部が回動可能に支持されている。このように、主押えアーム１５と補助押えアーム１８の後端部が共通の支軸２３を介してクロスプレート１１に回動可能に支持されている。
【００３２】
各主押えアーム１５には、その後端部からクロスプレート１１の下側で前方に延びる被主駆動レバー部２５が一体的に設けられている。この被主駆動レバー部２５は、主押えアーム１５の約半分の前後長を有し、この被主駆動レバー部２５の前端部には、その下側で後方開放状のＵ字形の係合部２６が設けられている。補助押えアーム１８には、その後端部から下方且つ前方へ傾斜状に延びる被補助駆動レバー部２９が設けられている。
【００３３】
各主押え駆動機構１６は、送り台６の送り台本体６ａに基端部が支持軸３０ａを介して回動自在に連結された後方向きのエアシリンダ３０と、エアシリンダ３０の出力ロッド３１に固定された駆動部材３２とを備えている。また、各主押え駆動機構１６は、送り台本体６ａに回動自在に支持された左右方向向きの回動軸部材３３と、下端部が駆動部材３２にピン３４ａを介して回動自在に連結され上端部が回動軸部材３３の外端部分に固定されたリンク部材３４とを備えている。更に、各主押え駆動機構１６は、回動軸部材３３の内端部分に固定されて前方へ延びる出力レバー３５と、出力レバー３５の前端部に左右方向向きに設けられた出力ピン３６と、駆動部材３２を前方へ付勢する復帰バネ部材３７とを備えている。
【００３４】
クロスプレート１１を送り台６に着脱する際に、係合部２６が出力ピン３６に前側から係脱可能である。尚、被主駆動レバー部２５と出力レバー３５とは左右方向にラップした位置にあり相互干渉することはない。
【００３５】
係合部２６が出力ピン３６に係合した状態（図６参照）で、エアシリンダ３０が駆動され出力ロッド３１が突出されると、駆動部材３２、リンク部材３４、回動軸部材３３、出力レバー３５を介して、出力ピン３６が下方へ移動して係合部２６を下側へ駆動し、主押えアーム１５が図６にて支軸２３を中心に時計回りに回動され、押え部１４が下降して針板１３に押圧される。この状態から、エアシリンダ３０が駆動停止されると、復帰バネ部材３７の付勢力により主押えアーム１５が図６にて支軸２３を中心に反時計回りに回動され、押え部１４が上昇する。
【００３６】
補助押え駆動機構１９は、送り台本体６ａに基端部が支持軸４０ａを介して回動自在に連結された後方向きのエアシリンダ４０と、エアシリンダ４０の出力ロッド４１に固定された駆動部材４２と、送り台本体６ａに上端部が支持軸４３ａを介して回動自在に支持され下端部が駆動部材４２にピン４３ｂを介して回動自在に連結された略鉛直向きの出力レバー４３と、出力レバー４３の長さ方向中央部分に固定された左右方向向きの出力ピン４４とを備えている。これらは主押え駆動機構１６と相互干渉しない位置に配設され、また、クロスプレート１１に対して補助押え部１７が上昇する側へ補助押えアーム１８を回動付勢する復帰バネ部材（図示略）を備えている。
【００３７】
出力レバー４３と被補助駆動レバー部２９とは前後方向にラップしており、クロスプレート１１が送り台６に完全に装着されると、出力ピン４４の後側に被補助駆動レバー部２９が位置した状態になる。そして、エアシリンダ４０が駆動され出力ロッド４１が突出されると、駆動部材４２、出力レバー４３を介して、出力ピン４４が後方へ移動して被補助駆動レバー部２９を後側へ駆動し、補助押えアーム１８が図６にて支軸２３を中心に時計回りに回動され、補助押え部１７が下降して針板１３に押圧される。この状態から、エアシリンダ４０が駆動停止されると、復帰バネ部材の付勢力により、補助押えアーム１８が図６にて支軸２３を中心に反時計回りに回動され、補助押え部１７が上昇する。
【００３８】
ここで、右側の主押えアーム１５の前後方向中央部分には、補助押えアーム１８の前後方向中央部分に上側から当接して補助押え部の上限位置を規制するストッパ１５ａが設けられている。
【００３９】
さて、図６〜図８に示すように、被主駆動レバー部２５の係合部２６には、その係合部２６の下面側へ突出し、且つクロスプレート１１を送り台６に装着する際に係合部２６が出力ピン３６に係合しない場合に出力ピン３６に上側から当接して被主駆動レバー部２５を介してクロスプレート１１を送り台６から浮上させる突出部２７が設けられている。この突出部２７は、その後端部分から前方へ移行する程下方へ移行するテーパ部２７ａを有し、図９、図１０に示すように、このテーパ部２７ａの下端部には、出力ピン３６の長さ方向中央側へ移行する程上方へ移行するテーパ部２７ｂが形成されている。例えば、被主駆動レバー部２５及び係合部２６の左右方向幅よりも突出部２７の左右方向幅は比較的細く、この突出部２７が係合部２６の外側端部（内側端部でもよい）の下面側に設けられている。
【００４０】
ここで、出力ピン３６は所定範囲で上下動するようになっており、図７が下限位置に位置した状態を示している。また、主押えアーム１５は所定範囲で回動するようになっており、図７が支軸２３を中心に反時計回りに回動した限界位置に位置した状態を示している。そして、この状態で、突出部２７が出力ピン３６に上側から当接した場合に、クロスプレート１１を送り台６から所定量（例えば、５mm程度）浮上させるように、突出部２７の下方突出量が設定されている。
【００４１】
この布押え装置７の作用・効果について説明する。
通常、クロスプレート１１が送り台６に装着された状態では、被主駆動レバー部２５の係合部２６が主押え駆動機構１６の出力ピン３６に係合して、主押えレバー１５と主押え駆動機構１６とが被主駆動レバー部２５を介して連動連結され、この主押え駆動機構１６が作動すると、出力ピン３６により被主駆動レバー部２５の係合部２６が上下に駆動されて、主押えレバー１５が駆動され支軸２３回りに回動されて押え部１４が昇降する。
【００４２】
ところで、クロスプレート１１を送り台６に前側から装着する際、クロスプレート１１の装着動作や主押え駆動機構１６の出力ピン３６の位置等によって、被主駆動レバー部２５の係合部２６が出力ピン３６に係合しない場合がある。従来、こうなった場合でも、クロスプレート１１は係合部２６が出力ピン３６に係合している場合と同じ装着状態になるため、また、クロスプレート１１を送り台６に装着する際に、係合部２６と出力ピン３６との連結部分を目視することも困難であるため、係合部２６が出力ピン３６に係合しているか否か確認することが難しい。
【００４３】
そこで、本案の布押え装置７では、図７に示すように、係合部２６の下面側へ突出し、且つクロスプレート１１を送り台６に装着する際に係合部２６が出力ピン３６に係合しない場合に出力ピン３６に上側から当接して被主駆動レバー部２５を介してクロスプレート１１を送り台６から浮上させる突出部２７を設けたので、クロスプレート１１を送り台６に装着する際に、係合部２６と出力ピン３６との連結部分を目視することもなく、係合部２６が出力ピン３６に係合しているか否か容易に確認することができ、その結果、クロスプレート１１を送り台６に適切に装着する作業を簡単に確実に行うことが可能になる。
【００４４】
突出部２７は、その後端部分から前方へ移行する程下方へ移行するテーパ部２７ａを有するので、また、このテーパ部２７ａの下端部に出力ピン３６の長さ方向中央側へ移行する程上方へ移行する下端テーパ部２７ｂを形成したので、クロスプレート１１を送り台６に装着する際に、被主駆動レバー部２５の係合部２６が押え駆動機構１６の出力ピン３６に係合しない場合、クロスプレート１１の自重によって、係合部２６に設けられたテーパ部２７ａ、下端テーパ部２７ｂに沿ってクロスプレート１１が移動する。従って、係合部２６と出力ピン３６との当接が解除でき、クロスプレート１１を送り台６に適切に装着する作業を簡単に確実に行うことが可能になる。
【００４５】
縫製対象物から延びる糸を切断する際に縫製対象物を針板１３に押える補助押え部１７を前端部に備えると共に後端部がクロスプレート１１に左右方向の支軸２３回りに回動可能に連結された補助押えアーム１８を設けたので、主押え部１４が糸切断用のカッターに干渉しないように主押え部１４を上昇退避させ、補助押え部１７で縫製対象物を針板１３に押えて、縫製対象物から延びる糸を確実に切断することができ、また、主押えアーム１５と補助押えアーム１８の後端部を共通の支軸２３を介してクロスプレート１１に枢支持したので、この主押えアーム１５と補助押えアーム１８をクロスプレート１１に回動可能に連結する構造を簡単化できる。
【００４６】
クロスプレート１１に対して補助押え部１７が上昇する側へ補助押えアーム１８を回動付勢するバネ部材を設け、補助押えアーム１８の前後方向中央部分に上側から当接して補助押え部１７の上限位置を規制するストッパ１５ａを押えアーム１５に設けたので、補助押え部１７を使用しない状態では適切な上限位置に確実に保持しておくことができ、また、クロスプレート１１を送り台６に着脱する際に、補助押えアーム１８の後端部からクロスプレート１１の下側に延びる被補助駆動レバー部２９をクロスプレート１１に対して適切な位置関係に保持し、この被補助駆動レバー部２９を、それを駆動する送り台６に装備された補助押え駆動機構１９の出力ピン４４と干渉させずに、クロスプレート１１の着脱作業を確実に行うことが可能になる。更に、補助押え部１７を使用する際、ストッパ１５aがない場合に比べて、ストッパ１５ａを設けた場合、縫製対象物を針板１３に押えるための回動量が少なくでき、次の動作の開始を早めることができる。
【００４７】
尚、本発明を鳩目穴かがりミシン１に適用した場合について説明したが、布押え装置を備えた本縫いミシン等の各種の工業用ミシンに本発明を適用でき、また、本発明は以上説明した実施の形態に限定されるものではなく、当業者でれば、本発明の趣旨を逸脱しない範囲で、前記実施例に種々の変更を付加して実施することができ、本発明はそれらの変更形態をも包含するものである。
【図面の簡単な説明】
【００４８】
【図１】鳩目穴かがりミシンの斜視図である。
【図２】送り台と布押え装置の斜視図である。
【図３】送り台と布押え装置の正面図である。
【図４】送り台と布押え装置の平面図である。
【図５】送り台と布押え装置の底面図である。
【図６】送り台と布押え装置（正常に連結された状態）の縦断面図である。
【図７】送り台と布押え装置（正常に連結されない状態）の縦断面図である。
【図８】送り台と布押え装置（正常に連結されない状態）の底面側からの斜視図である。
【図９】主押えアームの係合部と出力ピンの要部の正面図である。
【図１０】主押えアームの係合部と出力ピンの要部の正面図である。
【符号の説明】
【００４９】
１      鳩目穴かがりミシン
６ 送り台
１１  クロスプレート
１３  針板
１４  主押え部
１５  主押えアーム
１５ａ  ストッパ
１６  主押え駆動機構
１７  補助押え部
１８  補助押えアーム
１９  補助押え駆動機構
２３  支軸
２６  係合部
３６  出力ピン
２７  突出部
２７ａ  テーパ部
２７ｂ  下端テーパ部
【図１】
0004747743.tif 000002
【図２】
0004747743.tif 000003
【図３】
0004747743.tif 000004
【図５】
0004747743.tif 000005
【図６】
0004747743.tif 000006
【図７】
0004747743.tif 000007
【図８】
0004747743.tif 000008
【図９】
0004747743.tif 000009
【図１０】
0004747743.tif 000010
【図４】
0004747743.tif 000011